(57)【特許請求の範囲】
【請求項１】
光源と、
前記光源固有の光源特性データである固有光源特性データを保持する光源特性記憶手段と、
前記光源の輝度を測定する輝度センサと、
前記固有光源特性データと、前記輝度センサにおいて測定された前記光源の輝度の経時変化とに基づいて、前記光源の現在の光源特性を示す現在光源特性データを演算する特性データ演算手段と、
前記現在光源特性データに基づいて、予め設定された目標輝度及び目標色度で映像を表示させるための補正係数を演算する補正係数演算手段と、
前記補正係数を用いて、映像信号に対する輝度及び色度の補正を行う輝度及び色度補正手段と、
補正された前記映像信号と、前記光源から入射される光とを用いて前記映像を投射する、映像表示デバイスとを備え、
前記固有光源特性データおよび前記現在光源特性データは、ともに放射強度スペクトルであり、
前記現在光源特性データは、前記固有光源特性データにおいて示される前記光源の特性に対応する当該光源の特性を示すデータであることを特徴とする、
投射型映像表示装置。
【請求項２】
前記光源と前記光源特性記憶手段とが、一体的に交換可能な態様で備えられることを特徴とする、
請求項１に記載の投射型映像表示装置。
【請求項３】
前記映像を前記補正係数が変更可能な態様で表示し、当該映像が特定の表示となった時の前記補正係数を指定し、指定した当該補正係数に対応して、前記目標輝度及び前記目標色度が設定されることを特徴とする、
請求項１又は２に記載の投射型映像表示装置。
【請求項４】
前記光源から入射される光を分光し、前記映像表示デバイスに入射させる分光部材と、
前記分光部材の特性データである分光部材特性データを保持する分光部材特性記憶手段とをさらに備え、
前記補正係数演算手段が、前記現在光源特性データと、前記分光部材特性データとに基づいて、前記目標輝度及び前記目標色度で前記映像を表示させるための補正係数を演算することを特徴とする、
請求項１〜３のいずれかに記載の投射型映像表示装置。
【請求項５】
前記分光部材と前記分光部材特性記憶手段とが、一体的に交換可能な態様で備えられることを特徴とする、
請求項４に記載の投射型映像表示装置。
【請求項６】
請求項１〜５のいずれかに記載の投射型映像表示装置を複数備え、
各投射型映像表示装置において共通の前記目標輝度及び前記目標色度を設定することを特徴とする、
マルチビジョン投射型映像表示装置。
【発明の詳細な説明】
【技術分野】
【０００１】
本発明は投射型映像表示装置及びマルチビジョン投射型映像表示装置に関し、特に、光源の光を映像表示デバイスを用いて強度変調し、スクリーン上に映像信号を投射する投射型映像表示装置に関するものである。
【背景技術】
【０００２】
投射型映像表示装置における光源や分光部材は、個々の製品毎に特性が異なるため、それぞれの特性を示す特性データを用いて、目標とする輝度及び目標とする色度となるように映像信号に対する補正係数を決定する必要がある。
【０００３】
光源や分光部材を交換する場合には、同時に映像信号に対する補正係数を変更し、スクリーン上に所望の輝度、色度で表示されるように調整する必要がある。
【０００４】
例えば光源の交換については、従来から、光源特性記憶手段を搭載した交換可能な光源を有する投射型映像表示装置において、光源特性記憶手段に記憶した、交換後の光源の光源特性データと予め設定された目標輝度及び目標色度データとから補正係数を演算し直し、目標とする輝度及び目標とする色度でスクリーン上に表示されるようにした投射型映像表示装置が知られている（特許文献１参照）。
【先行技術文献】
【特許文献】
【０００５】
【特許文献１】特許第４４７５８８６号公報
【発明の概要】
【発明が解決しようとする課題】
【０００６】
従来の構成においては、光学特性記憶手段に保持されている光源特性データは、各々の光源等の初期の光源特性を示すデータであった。
【０００７】
一方、投射型映像表示装置をある程度の期間使用した後に、目標とする輝度及び目標とする色度を変更したいという場合があった。
【０００８】
光源の経時変化等により、光源特性記憶手段に保持されている初期の光源特性データと、ある程度の期間使用した現在の光源特性データとが異なっている場合には、初期の光源特性データと目標輝度及び目標色度データとに基づいて補正係数を演算すると、正しく目標輝度及び目標色度に補正できないという問題があった。
【０００９】
本発明は、上記のような問題を解決するためになされたものであり、ある期間使用した光源等を持つ投影型表示装置に対しても、映像を目標輝度及び目標色度で表示することができる投影型表示装置を提供することを目的とする。
【課題を解決するための手段】
【００１０】
本発明にかかる投射型映像表示装置は、光源と、前記光源固有の光源特性データである固有光源特性データを保持する光源特性記憶手段と、前記光源の輝度を測定する輝度センサと、前記固有光源特性データと、前記輝度センサにおいて測定された前記光源の輝度の経時変化とに基づいて、前記光源の現在の光源特性を示す現在光源特性データを演算する特性データ演算手段と、前記現在光源特性データに基づいて、予め設定された目標輝度及び目標色度で映像を表示させるための補正係数を演算する補正係数演算手段と、前記補正係数を用いて、映像信号に対する輝度及び色度の補正を行う輝度及び色度補正手段と、補正された前記映像信号と、前記光源から入射される光とを用いて前記映像を投射する、映像表示デバイスとを備え、前記固有光源特性データおよび前記現在光源特性データは、ともに放射強度スペクトルであり、前記現在光源特性データは、前記固有光源特性データにおいて示される前記光源の特性に対応する当該光源の特性を示すデータであることを特徴とする。
【００１１】
また、本発明にかかるマルチビジョン投射型映像表示装置は、上記の投射型映像表示装置を複数備え、各投射型映像表示装置において共通の前記目標輝度及び前記目標色度を設定することを特徴とする。
【発明の効果】
【００１２】
本発明にかかる投射型映像表示装置によれば、光源と、前記光源固有の光源特性データである固有光源特性データを保持する光源特性記憶手段と、前記光源の輝度を測定する輝度センサと、前記固有光源特性データと、前記輝度センサにおいて測定された前記光源の輝度の経時変化とに基づいて、前記光源の現在の光源特性を示す現在光源特性データを演算する特性データ演算手段と、前記現在光源特性データに基づいて、予め設定された目標輝度及び目標色度で映像を表示させるための補正係数を演算する補正係数演算手段と、前記補正係数を用いて、映像信号に対する輝度及び色度の補正を行う輝度及び色度補正手段と、補正された前記映像信号と、前記光源から入射される光とを用いて前記映像を投射する、映像表示デバイスとを備え、前記固有光源特性データおよび前記現在光源特性データは、ともに放射強度スペクトルであり、前記現在光源特性データは、前記固有光源特性データにおいて示される前記光源の特性に対応する当該光源の特性を示すデータであることにより、光源の経時変化に応じた補正係数を算出し、映像を目標輝度及び目標色度で表示することができる。
【００１３】
また、本発明にかかるマルチビジョン投射型映像表示装置によれば、上記の投射型映像表示装置を複数備え、各投射型映像表示装置において共通の前記目標輝度及び前記目標色度を設定することにより、複数の投射型映像表示装置間で輝度及び色度を調節でき、全体として適切な映像を表示することができる。
【図面の簡単な説明】
【００１４】
【図１】実施の形態１にかかる投射型映像表示装置の概略を示す図である。
【図２】３原色輝度センサの各色の分光感度特性の一例を示す図である。
【図３】光源の放射強度スペクトルの一例を示す図である。
【図４】目標とする色再現範囲の一例を示す図である。
【図５】実施の形態２にかかるマルチビジョン投射型映像表示装置の概略を示す図である。
【発明を実施するための形態】
【００１５】
＜Ａ．実施の形態１＞
＜Ａ−１．構成＞
図１は、本発明にかかる投射型映像表示装置の概略を示す図である。図１において、ランプ等の光源１からの出力光は、カラーホイールと呼ばれる回転色フィルタで構成される分光部材２に供給され、赤（Ｒ）、緑（Ｇ）、青（Ｂ）の各色に時分割で分光される。分光部材２を透過した光は光インテグレーター３により空間的な輝度分布が平滑化された後、ミラー４を経て映像表示デバイス５へ入射される。
【００１６】
一方、外部より入力された映像信号は、輝度及び色度補正手段１６に入力され、後述する輝度及び色度補正を受けた後、ドライバ１７へ入力される。ドライバ１７は、映像表示デバイス５が必要とする信号フォーマットへと信号変換を行い、映像表示デバイス５へ信号を出力する。
【００１７】
映像表示デバイス５は、例えばＤＭＤ（Ｄｉｇｉｔａｌ  Ｍｉｃｒｏｍｉｒｒｏｒ  Ｄｅｖｉｃｅ）で構成されており、ＤＭＤがオンステートの場合、ＤＭＤは、入力された信号に従って光インテグレーター３からの光を強度変調し、投射レンズ６を介してスクリーン７に投射されることで、映像が表示される。
【００１８】
一方、ＤＭＤがオフステートの場合、ＤＭＤは、光インテグレーター３からの光を、輝度センサとしての３原色輝度センサ８の方向に反射する。このＤＭＤのオフステートは、映像信号の垂直同期信号周期で、かつ、分光部材２によって赤（Ｒ）、緑（Ｇ）、青（Ｂ）の各色に時分割で分光される周期に必ず存在するため、この反射光が３原色輝度センサ８に入射されることにより、ほぼ常時、光源１の赤（Ｒ）、緑（Ｇ）、青（Ｂ）の各色成分の輝度変化を監視することができる。ここで３原色輝度センサは、例えば、図２に示すような分光感度特性を持ち、入射光をＲＧＢ輝度データとして出力する。図２は、３原色輝度センサの分光感度特性を、横軸に波長（ｎｍ）、縦軸に相対値をとって示したものである。
【００１９】
光源１の放射強度スペクトルＳ0（λ）は、固有光源特性データとして、予め光源特性記憶手段９に記憶されている。この固有光源特性データとしての放射強度スペクトルＳ0（λ）は、光源１の例えば使用開始時の放射強度スペクトルであり、個々の光源に固有のスペクトルである。
【００２０】
光源特性記憶手段９とは、例えば不揮発性メモリであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）で構成されており、電源供給がない場合においても、その記憶内容を保持することが可能である。光源特性記憶手段９は、光源１と共に交換可能なように、一体でランプカートリッジ１０を構成している。
【００２１】
分光部材２のＲＧＢ各フィルタの、赤、緑、青の透過特性Ｔｒ（λ）、Ｔｇ（λ）、Ｔｂ（λ）は、分光部材特性データとして、予め分光部材特性記憶手段１１に記憶されている。分光部材特性記憶手段１１もまた、例えば不揮発性メモリであるＥＥＰＲＯＭで構成されており、電源供給がない場合においても、その記憶内容を保持することが可能である。分光部材特性記憶手段１１は、分光部材２と共に交換可能なように、一体でカラーホイールユニット１２を構成している。
【００２２】
投射型映像表示装置内の、光源１及び分光部材２以外の光学特性Ｏ（λ）を表す光学特性データは、光学特性記憶手段１３に記憶されている。
【００２３】
特性データ演算手段１８は、光源特性記憶手段９に記憶された光源１の経時変化前の固有光源特性データとしての放射強度スペクトルＳ0（λ）と、光源の経時変化前の３原色輝度センサ８の赤（Ｒ）、緑（Ｇ）、青（Ｂ）各色のＲＧＢ輝度データＳｒ0、Ｓｇ0、Ｓｂ0と、３原色輝度センサ８の現在のＲＧＢ輝度データＳｒ、Ｓｇ、Ｓｂとにより、光源１の現在の光源特性を示す現在光源特性データとしての放射強度スペクトルＳ（λ）を、図３のように予測することができる。
【００２４】
当該予測には、例えば下記の式（１）を用いて演算する。図３において、点線で示すスペクトルが初期放射強度スペクトルＳ0（λ）、実線で示すスペクトルが予想される放射強度スペクトルＳ（λ）である。横軸に波長（ｎｍ）、縦軸に相対値をとって示している。
【００２５】
【数１】
0005755488.tif 000002
【００２６】
式（１）では、可視光波長範囲を３８０ｎｍ〜７８０ｎｍ、３原色輝度センサ８の赤（Ｒ）の感度波長範囲を６１０ｎｍ以上、緑（Ｇ）の感度波長範囲を４９０ｎｍ〜６１０ｎｍ、青（Ｂ）の感度波長範囲を４９０ｎｍ以下としている。
【００２７】
式（１）により求められた現在光源特性データ、すなわち放射強度スペクトルＳ（λ）と、分光部材特性記憶手段１１に記憶された分光部材特性データと、光学特性記憶手段１３に記憶された光学特性データとが、特性係数演算手段１４に供給される。
【００２８】
特性係数演算手段１４では、式（１）により求められた放射強度スペクトルＳ（λ）と、分光部材特性データである、分光部材２の赤、緑、青の透過特性Ｔｒ（λ）、Ｔｇ（λ）、Ｔｂ（λ）と、光学特性データである、光源、分光部材以外の光学特性Ｏ（λ）とに基づいて、下記の式（２）により、特性係数ＸＬｒ、ＹＬｒ、ＺＬｒ、ＸＬｇ、ＹＬｇ、ＺＬｇ、ＸＬｂ、ＹＬｂ、ＺＬｂをそれぞれ求める。
【００２９】
【数２】
0005755488.tif 000003
【００３０】
式（２）において、Ｋｘ、Ｋｙ、Ｋｚは所定の定数、ｘ（λ）、ｙ（λ）、ｚ（λ）は等色関数、θｒ、θｇ、θｂは分光部材２の回転色フィルタの各色成分の有効分割角である。これらのデータは、特性係数演算手段１４内のメモリ１４ａに記憶されている。ここで等色関数とは、等エネルギースペクトルに対する人間の目の分光感度曲線を表す。
【００３１】
特性係数演算手段１４で求められた特性係数ＸＬｒ、ＹＬｒ、ＺＬｒ、ＸＬｇ、ＹＬｇ、ＺＬｇ、ＸＬｂ、ＹＬｂ、ＺＬｂは、補正係数演算手段１５、さらに輝度及び色度補正手段１６に供給される。
【００３２】
補正係数演算手段１５では、シリアル通信、赤外線リモコン、無線装置等を用いて外部より設定される、目標輝度及び目標色度Ｃｔを表すデータを受ける。
【００３３】
目標輝度及び目標色度Ｃｔは、例えば図４に示されるように、Ｒｔ、Ｇｔ、Ｂｔを頂点とする三角形の色再現範囲で表され、Ｒｔは、その三刺激値Ｘｒｔ、Ｙｒｔ、Ｚｒｔで、Ｇｔは、その三刺激値Ｘｇｔ、Ｙｇｔ、Ｚｇｔで、Ｂｔは、その三刺激値Ｘｂｔ、Ｙｂｔ、Ｚｂｔでそれぞれ表されるものとする。なお、図４でＲ、Ｇ、Ｂは、補正を行わない場合の三角形の色再現範囲の頂点を表す。
【００３４】
補正係数演算手段１５では、目標輝度及び目標色度Ｃｔと、特性係数ＸＬｒ、ＹＬｒ、ＺＬｒ、ＸＬｇ、ＹＬｇ、ＺＬｇ、ＸＬｂ、ＹＬｂ、ＺＬｂとを用いて、補正係数Ｘｔｒ、Ｙｔｒ、Ｚｔｒ、Ｘｔｇ、Ｙｔｇ、Ｚｔｇ、Ｘｔｂ、Ｙｔｂ、Ｚｔｂを求める。補正係数を求める具体的な演算方法については、後述する。
【００３５】
輝度及び色度補正手段１６では、入力信号Ｄ、補正係数Ｘｔｒ、Ｙｔｒ、Ｚｔｒ、Ｘｔｇ、Ｙｔｇ、Ｚｔｇ、Ｘｔｂ、Ｙｔｂ、Ｚｔｂ、特性係数ＸＬｒ、ＹＬｒ、ＺＬｒ、ＸＬｇ、ＹＬｇ、ＺＬｇ、ＸＬｂ、ＹＬｂ、ＺＬｂを受けて、下記の式（３）の演算を行って、この演算により求まる三刺激値Ｘｃ、Ｙｃ、Ｚｃを表す信号を生成する。式（３）において、α、β、γは、入力映像信号で表される表示色における三原色、赤（Ｒ）、緑（Ｇ）、青（Ｂ）それぞれの成分の強さを表す。
【００３６】
【数３】
0005755488.tif 000004
【００３７】
輝度及び色度補正手段１６は、さらに上記の三刺激値を表す信号を、Ｒ、Ｇ、Ｂの各色成分を表す信号Ｅｒ、Ｅｇ、Ｅｂに変換して出力する。ドライバ１７は、信号Ｅｒ、Ｅｇ、Ｅｂを受けて、これに対応したドライブ信号Ｆｒ、Ｆｇ、Ｆｂを発生し、これにより映像表示デバイス５を駆動する。
【００３８】
以下、特性係数演算手段１４、補正係数演算手段１５、及び輝度及び色度補正手段１６における演算について、より詳細に説明する。ここでは、下記式（４）が成立する加法混色モデルのディスプレイ装置を想定している。
【００３９】
【数４】
0005755488.tif 000005
【００４０】
式（４）において、Ｘａ、Ｙａ、Ｚａは表示色における三原色Ｒ、Ｇ、Ｂの混色割合に対応した色の三刺激値を表す。ＸＬｒ、ＹＬｒ、ＺＬｒ、ＸＬｇ、ＹＬｇ、ＺＬｇ、ＸＬｂ、ＹＬｂ、ＺＬｂは表示装置の特性係数である。
【００４１】
α、β、γがそれぞれのＲ、Ｇ、Ｂの成分を表す信号の取り得る値の範囲中の最大値に対する比（例えばＲ、Ｇ、Ｂの各成分を表す信号が０から２５５の範囲中の値を取り得るとき、Ｒ、Ｇ、Ｂの各成分の信号の値の、「２５５」に対する比）で表されるとき、ＸＬｒ、ＹＬｒ、ＺＬｒは、原色Ｒを表示する際の三刺激値に等しい。また、ＸＬｇ、ＹＬｇ、ＺＬｇは、原色Ｇを表示する際の三刺激値に等しい。ＸＬｂ、ＹＬｂ、ＺＬｂは、原色Ｂを表示する際の三刺激値に等しい。以下、上記のように、α、β、γがそれぞれ最大値に対する比で表される場合について説明する。
【００４２】
式（４）は、ある特性（Ｍ）を持った表示装置に対し、ある色信号（α、β、γ）を入力すると、そのとき表示される色の表示色の三刺激値がＸａ、Ｙａ、Ｚａであることを示す。式（４）に示すように、加法混色が成り立つ表示装置の色空間は、三原色「Ｒ、Ｇ、Ｂ」それぞれの三刺激値ＸＹＺの線形和により各表示色が得られる線形空間となる。
【００４３】
入力信号に対して、目標の輝度及び目標の色度を生じさせるための補正を掛けて表示を行う場合には、入力信号と表示色との関係は式（３）で示すようになる。
【００４４】
式（３）で、右辺の２番目の行列の構成要素Ｘｔｒ、Ｙｔｒ、Ｚｔｒ、Ｘｔｇ、Ｙｔｇ、Ｚｔｇ、Ｘｔｂ、Ｙｔｂ、Ｚｔｂはそれぞれ補正係数で、例えば以下のようにして定められる。
【００４５】
先に述べたように、目標とする色再現範囲Ｃｔが、図４に示されるように、Ｒｔ、Ｇｔ、Ｂｔを頂点とする三角形で表されるものとする。Ｒｔの三刺激値をＸｒｔ、Ｙｒｔ、Ｚｒｔとすると、下記の式（５）が成り立つ。
【００４６】
【数５】
0005755488.tif 000006
【００４７】
式（５）の右辺の２番目の行列と、３番目の行列を整理すると、下記の式（６）となる。
【００４８】
【数６】
0005755488.tif 000007
【００４９】
式（６）を変形して、下記の式（７）を得ることができる。
【００５０】
【数７】
0005755488.tif 000008
【００５１】
式（７）と同様にして、以下の式（８）、式（９）が得られる。
【００５２】
【数８】
0005755488.tif 000009
【００５３】
【数９】
0005755488.tif 000010
【００５４】
式（８）、及び式（９）において、Ｘｇｔ、Ｙｇｔ、Ｚｇｔは、Ｇｔの三刺激値であり、Ｘｂｔ、Ｙｂｔ、Ｚｂｔは、Ｂｔの三刺激値である。式（７）、式（８）、式（９）により、式（３）の右辺の２番目の行列を構成する９つの係数が求まる。
【００５５】
図１の補正係数演算手段１５は、目標輝度及び目標色度Ｃｔ（Ｘｒｔ、Ｙｒｔ、Ｚｒｔ、Ｘｇｔ、Ｙｇｔ、Ｚｇｔ、Ｘｂｔ、Ｙｂｔ、Ｚｂｔ）を外部から与えられ、特性係数ＸＬｒ、ＹＬｒ、ＺＬｒ、ＸＬｇ、ＹＬｇ、ＺＬｇ、ＸＬｂ、ＹＬｂ、ＺＬｂを特性係数演算手段１４から与えられる。これらに基づいて、式（７）、式（８）、式（９）の演算を行い、補正係数Ｘｔｒ、Ｙｔｒ、Ｚｔｒ、Ｘｔｇ、Ｙｔｇ、Ｚｔｇ、Ｘｔｂ、Ｙｔｂ、Ｚｔｂを求める。
【００５６】
図１の輝度及び色度補正手段１６は、補正係数演算手段１５から補正係数Ｘｔｒ、Ｙｔｒ、Ｚｔｒ、Ｘｔｇ、Ｙｔｇ、Ｚｔｇ、Ｘｔｂ、Ｙｔｂ、Ｚｔｂを受け、外部から入力信号Ｄ（α、β、γ）を受ける。さらに、特性係数演算手段１４から特性係数ＸＬｒ、ＹＬｒ、ＺＬｒ、ＸＬｇ、ＹＬｇ、ＺＬｇ、ＸＬｂ、ＹＬｂ、ＺＬｂを受ける。これらに対して、上記の式（３）の演算を行って、Ｘｃ、Ｙｃ、Ｚｃを求め、さらにＲ、Ｇ、Ｂの各成分の信号Ｅｒ、Ｅｇ、Ｅｂに変換して、これをドライバ１７に供給する。
【００５７】
ドライバ１７が、この信号Ｅｒ、Ｅｇ、Ｅｂに応じたドライブ信号Ｆｒ、Ｆｇ、Ｆｂを生成して、これにより映像表示デバイス５を変調することにより、スクリーン７上には輝度及び色度がほぼ目標値に補正された映像が得られることになる。
【００５８】
以上のように、光源１に組み込まれた光源特性記憶手段９に保持された固有光源特性データと、３原色輝度センサ８において測定した光源１の輝度変化とから、現在光源特性データを推定することができる。
【００５９】
この現在光源特性データと、分光部材特性記憶手段１１に保持された分光部材特性データとに基づいて、目標輝度及び目標色度Ｃｔを生じさせるための補正係数を自動的に求めることができ、目標の輝度及び目標の色度となるように補正された映像を表示することができる。
【００６０】
一方、光源特性記憶手段９に保持された固有光源特性データは、経時変化によって現在光源特性データとは異なるため、固有光源特性データに基づいて上記補正係数を算出した場合には、正しく目標の輝度及び目標の色度となるように補正された映像を表示することはできない。
【００６１】
また、推定された現在光源特性データを光源特性記憶手段９に常時記憶させることにより、この経時変化後の光源１を別の投射型映像表示装置に使用しても、現在光源特性データに基づいて、目標の輝度及び目標の色度を達成するような映像を表示することができる。なお、光源１を使用する別の投射型映像表示装置が、３原色輝度センサ８に対応する輝度センサを備えておりＲＧＢ輝度データを参照できる場合には、当該別の投射型映像表示装置に使用してからの経時変化に対しても、適切な補正係数を算出することができる。
【００６２】
さらに、光源１又は分光部材２（又は双方）を新品に交換した場合においても、交換後の光源１に対応する光源特性記憶手段９における固有光源特性データ、又は分光部材２に対応する分光部材特性記憶手段１１における分光部材特性データを参照することで、個々の製品の特性に応じた補正係数を自動的に求めることができる。
【００６３】
なお、交換部品となる光源１又は分光部材２に付属する記憶手段に、部品毎の識別符号等を割り付けておけば、当該識別符号の違いにより交換したことが直ちに自動的に判明するため、輝度及び色度の調整を自動化することも容易となる。
【００６４】
また、目標輝度色度をデータで入力することなく、スクリーン７に表示された映像を見ながら補正係数を変化させることにより、適切な輝度及び色度を視覚的に調整することも可能である。
【００６５】
その場合、変更可能な状態となっている補正係数と、現在光源特性データと、分光部材特性データと、光学特性データとにより、目標輝度及び目標色度Ｃｔを逆算することが可能である（式（３）参照）。このような場合でも、光源１の経時変化、光源１及び／又は分光部材２の交換が生じた場合に、適切に輝度及び色度を調節することができる。
【００６６】
上記の実施の形態では、光源特性記憶手段９及び分光部材特性記憶手段１１に、それぞれ各波長における放射強度スペクトル及び透過率を記憶するようにしたが、ＸＹＺ表色系などに代表される表色系の三刺激値が計算できるものであればよく、特に限定されるものではない。
【００６７】
また、本実施の形態では光源１、分光部材２それぞれに記憶手段を備えるものを示したが、特性のバラツキ等によっては光源１のみに記憶手段を設けることとしてもよい。
【００６８】
＜Ａ−２．効果＞
本発明にかかる実施の形態によれば、投射型映像表示装置において、光源１と、光源１の固有光源特性データを保持する光源特性記憶手段９と、光源１の輝度を測定する輝度センサとしての３原色輝度センサ８と、固有光源特性データと、３原色輝度センサ８において測定された光源１の輝度の経時変化とに基づいて、光源１の現在光源特性データを演算する特性データ演算手段１８と、現在光源特性データに基づいて、補正係数を演算する補正係数演算手段１５と、補正係数を用いて、映像信号に対する輝度及び色度の補正を行う輝度及び色度補正手段１６を備えることで、光源１の輝度及び色度が経時変化しても、その変化に対応して補正係数を算出することができ、目標輝度及び目標色度となるように映像を表示することができる。
【００６９】
また、本発明にかかる実施の形態によれば、投射型映像表示装置において、光源１と光源特性記憶手段９とが、一体的に交換可能な態様で備えられることで、光源を交換した場合でも、当該光源に固有の光源特性を記憶した光源特性記憶手段９を参照することで、経時変化を考慮した補正係数を算出することができる。
【００７０】
また、本発明にかかる実施の形態によれば、投射型映像表示装置において、映像を補正係数が変更可能な態様で表示し、当該映像が特定の表示となった時の補正係数を指定し、指定した当該補正係数に対応して、目標輝度及び目標色度が設定されることで、変更可能な状態となっている補正係数と、現在光源特性データと、分光部材特性データと、光学特性データとにより、目標輝度及び目標色度Ｃｔを逆算することが可能である。
【００７１】
また、本発明にかかる実施の形態によれば、投射型映像表示装置において、光源１から入射される光を分光し、映像表示デバイス５に入射させる分光部材２と、分光部材２の特性データである分光部材特性データを保持する分光部材特性記憶手段１１とをさらに備え、補正係数演算手段１５が、現在光源特性データと、分光部材特性データとに基づいて、目標輝度及び目標色度で映像を表示させるための補正係数を演算することで、分光部材２の分光部材特性データを考慮して、補正係数を算出することができる。
【００７２】
＜Ｂ．実施の形態２＞
＜Ｂ−１．構成＞
本実施の形態２では、実施の形態１で説明した投射型映像表示装置を複数台組み合わせて成るマルチビジョン投射型映像表示装置について説明する。
【００７３】
図５は、２台の投射型映像表示装置を組み合わせたマルチビジョン投射型映像表示装置を、その一例として示した図である。
【００７４】
図５において、第１の投射型映像表示装置１１１と第２の投射型映像表示装置１１２とが組み合わせられ、マルチビジョン投射型映像表示装置が形成されている。第１の投射型映像表示装置１１１と第２の投射型映像表示装置１１２は、共通の目標輝度及び目標色度Ｃｔを受け取り、それぞれ実施の形態１において説明した場合と同様に動作して、目標輝度及び目標色度になるように補正係数を演算する。
【００７５】
例えば第１の投射型映像表示装置１１１と第２の投射型映像表示装置１１２とがそれぞれ異なるタイミングで使用を開始した光源を備える場合であっても、複数の投射型映像表示装置へ共通の目標値（目標輝度及び目標色度）を与えることで、それぞれの投射型映像表示装置において目標輝度及び目標色度に補正し、複数画面間の輝度及び色度を均一に保つことができる。
【００７６】
また、第１の投射型映像表示装置１１１又は第２の投射型映像表示装置１１２、若しくはその両方の光源を、新品に交換した場合においても、交換後の光源特性記憶手段９から固有光源特性データを参照し自動的に補正係数を演算することで、目標輝度及び色度に補正することができ、複数の投射型映像表示装置の画面間で、輝度及び色度の均一性が保たれる。
【００７７】
なお、実施の形態２では２面のマルチビジョンシステムで説明したが、特に面数の制限はない。
【００７８】
上記の目標輝度及び目標色度Ｃｔは、コンピュータなどで外部からそれぞれの投射型映像表示装置に入力してもよいし、赤外線リモコン等でそれぞれの投射型映像表示装置に入力してもよい。
【００７９】
＜Ｂ−２．効果＞
本発明にかかる実施の形態によれば、マルチビジョン投射型映像表示装置において、実施の形態１に記載の投射型映像表示装置を複数備え、各投射型映像表示装置において共通の目標輝度及び目標色度を設定することで、複数の投射型映像表示装置の画面間で、輝度及び色度の均一性を保つことができる。
【符号の説明】
【００８０】
１  光源、２  分光部材、３  光インテグレーター、４  ミラー、５  映像表示デバイス、６  投射レンズ、７  スクリーン、８  ３原色輝度センサ、９  光源特性記憶手段、１０  ランプカートリッジ、１１  分光部材特性記憶手段、１２  カラーホイールユニット、１３  光学特性記憶手段、１４  特性係数演算手段、１４ａ  メモリ、１５  補正係数演算手段、１６  輝度及び色度補正手段、１７  ドライバ、１８  特性データ演算手段、１１１  第１の投射型映像表示装置、１１２  第２の投射型映像表示装置。
【図１】
0005755488.tif 000011
【図２】
0005755488.tif 000012
【図３】
0005755488.tif 000013
【図４】
0005755488.tif 000014
【図５】
0005755488.tif 000015